(57)【要約】      （修正有）【課題】フロート弁にストレーナ等の器具が引っ掛かることを防止できる貯水装置を提供する。【解決手段】貯水装置１００は、水道水等の水を供給して内部に貯水する容器１と、容器の一部の側面上部に取り付けたフロート弁２と、フロート弁を囲むように設けられ、下面が傾斜面３ｃ又は曲面である保護カバー３と、から構成される。蓋４を開けて取水ホースＨを容器内から取り出すとき、ストレーナＳが保護カバーの下に当たっても、ストレーナが傾斜面に沿って移動するので、引っ掛かることなく取り出される。このため、ストレーナの取り出しの際に誤って容器をひっくり返して現場に水をまき散らすことがなくなる。【選択図】図１
0003200656.tif 000002
【実用新案登録請求の範囲】
【請求項１】
内部に水を貯める容器と、
取付口が前記容器の外側に突出するように当該容器の側面に取り付けられ且つ容器内の水位に合わせて移動することで弁の開閉を行うフロート弁と、
フロート弁を囲むように容器の内面に設けられる共にその内部と容器内部とを連通する穴を有する保護カバーと、
を備えたことを特徴とする貯水装置。
【請求項２】
前記保護カバーは、下面が傾斜面又は曲面となることを特徴とする請求項１に記載の貯水装置。
【請求項３】
前記保護カバーの穴は、前記フロート弁の有する吐出口に対向しないように複数設けられていることを特徴とする請求項１又は２に記載の貯水装置。
【請求項４】
更に、前記容器に横方向に開く足を設けたことを特徴とする請求項１〜３のいずれか一つに記載の貯水装置。
【考案の詳細な説明】
【技術分野】
【０００１】
本考案は、容器内部に水を一定量に維持しつつ貯める貯水装置に関するものである。
【背景技術】
【０００２】
従来から特許文献１に記載されているような貯水ユニットが知られている。この貯水ユニットは、貯水容器の壁面にフロート弁を設けた構造である。フロート弁はボールタップからなる、水道等に接続したホースを接続するための接続継手を備える。ボールタップは、自動的に給水することで貯水容器の水位を一定に保つ。
【先行技術文献】
【特許文献】
【０００３】
【特許文献１】実用新案登録第３１８６０８９号公報
【考案の概要】
【考案が解決しようとする課題】
【０００４】
しかしながら、上記従来の貯水ユニットでは、ボールタップの本体が貯水容器の内部に露出しており、且つ、内部に突出していることから、当該貯水容器にポンプの取水ホースの先端、特に当該先端にストレーナを備えているものを出し入れすると、当該ボールタップに取水ホースがぶつかって破損の原因となる。また、ストレーナがボールタップに引っ掛かり、貯水容器をひっくり返す可能性がある。住宅の建設現場で水の入った貯水容器をひっくり返すと、建築物に欠陥を生じかねない。本考案は、係る問題点を解決するためになされたものである。
【課題を解決するための手段】
【０００５】
本考案に係る貯水装置は、内部に水を貯める容器と、取付口が前記容器の外側に突出するように当該容器の側面に取り付けられ且つ容器内の水位に合わせて移動することで弁の開閉を行うフロート弁と、フロート弁を囲むように容器の内面に設けられる共にその内部と容器内部とを連通する穴を有する保護カバーとを備えたことを特徴とする。
【０００６】
前記保護カバーは、下面が傾斜面又は曲面とするのが好ましい。また、前記保護カバーの穴は、前記フロート弁の有する吐出口に対向しないように複数設けるようにするのが好ましい。更に、前記容器に横方向に開く足を設けるようにするのが好ましい。
【図面の簡単な説明】
【０００７】
【図１】この考案の実施の形態１に係る貯水装置を示す斜視図である。
【図２】図１に示した貯水装置を示す上面図である。
【図３】図１に示した貯水装置の構成を示すＡ−Ａ断面図である。
【図４】フロート弁の例を示す構成図である。
【図５】この考案に係る貯水装置の変形例を示す斜視図である。
【考案を実施するための形態】
【０００８】
（実施の形態１）
図１は、この考案の実施の形態１に係る貯水装置を示す斜視図である。図２は、図１に示した貯水装置を示す上面図である。図３は、図１に示した貯水装置のＡ−Ａ断面図である。この貯水装置１００は、水道水等の水を供給して内部に貯水する容器１と、容器１の一部の側面上部に取り付けたフロート弁２と、フロート弁２を囲むように設けた保護カバー３と、から構成される。
【０００９】
前記容器１は、樹脂製、金属製又は木製であり、その形状は、有底の角筒形状または円筒形状である。上部には、開閉可能に蓋４が設けられている。蓋４は、容器１の側面１ａに対して回動可能に設けられる。側面１ａの上端縁には、ホース等を通すための切欠き５が複数設けられている。切欠き５の位置及び数は、適宜決定できる。その大きさは、標準的な取水ホースＨが通るものとするのが好ましい。具体的には、横幅が３ｃｍ以上５ｃｍ以下とするのが好ましい。蓋４は、落ち葉やゴミ等が容器１内に侵入するのを防止する。係る観点から、蓋４は、板状体でも良いし、網板状体でも良い。なお、蓋４は、本考案の必須構成要件ではない。
【００１０】
容器１の側面１ａには、前記フロート弁２が設けられる。図４は、フロート弁２の例を示す構成図である。フロート弁２は、筒状の本体筒２２に対して垂直方向に形成した供給管２３が設けられる。本体筒２２は、二重構造であり、一端の取付口２ａから他の端部に至る内管２４と、内管２４の端部に設けた弁２５と、内管２４の周囲に形成した外管２６と、外管２６と連なる下端に吐出口を有する供給管２３と、供給管２３の外部をスライドして上下移動するフロート２７と、フロート２７の動きを前記弁２５に伝えるリンク機構２８とからなる。フロート２７の動きは、リンク機構２８により弁２５に伝わり、弁２５が内管２４の端部を開閉する。水位低下により弁２５が開くと、取付口２ａから入った水が内管２４から外管２６の中に流れ、供給管２３を通じてその吐出口２９から水を吐出する。吐出口２９は下方に開口している。図中一点鎖線で水の流れを示す。水位上昇により弁２５が閉じると、内筒２４の端部が閉じられて水の供給が止まる。なお、このフロート弁２の構造は、図４の例に限定されず、市販されているどのようなフロート弁であっても本考案に用いることができる。
【００１１】
フロート弁２の取付口２ａは、先端近傍にネジ山が形成されており、当該取付口２ａを容器１側面１ａに形成した穴に挿し込み、外側から前記ネジ山に固定用のナットを螺合し、容器１の側面１ａに固定する。この状態で取付口２ａの先端に設けた継手部２ｂが容器１の外側に露出する。この継手部２ｂに水道の蛇口に取り付けたホースＨ２を接続する。ホースＨ２の先端には、前記継手部２ｂに対応する継手部２ｃが設けられ、この継手部２ｂ、２ｃどうしは着脱可能である。実際は、使用の際に現場でホースＨを接続する。
【００１２】
フロート弁２を設けた前記容器１の内側には、当該フロート弁２を囲む保護カバー３が設けられている。この保護カバー３は、内部の大きさが前記フロート弁２を全て包摂し、且つ、内部の水の移動を妨げない程度の大きさとする。例えば、フロート弁２と保護カバー３の内側に１ｃｍ以上５ｃｍ未満の間隙ＳＰを形成させ、水の流れを良くすると共に、ゴミが混入しても詰まり難いようにする。
【００１３】
保護カバー３の形状は、例えば図示したよう箱型とする。更に保護カバー３の角３ａには丸みを設ける。具体的には、半径が５ｍｍ以上３０ｍｍ以下の丸みを設けるものとする。特に、保護カバー３の使用状態で底面には、傾斜面３ｃ（又は、径が大きい曲面３ｄ（図中点線で示す））を設けるものとする。この傾斜面３ｃは、保護カバー３を容器１の内面１１に取り付けた状態で、この内面１１から自然に立ち上がるような傾斜角度とするのが好ましい。具体的には、内面１１に対して３０度以上６０度未満の角度をもって立ち上がるようにする。この傾斜面３ｃと、それぞれの角３ａに設けた丸みは、現場の作業において、取水ホースＨの先端のストレーナＳや、その他、容器１の内部に沈めた器具（噴射ガン等）を取り出す際に、保護カバー３に引っ掛かるのを防止する。
【００１４】
即ち、前記ストレーナＳは取水ホースＨよりも大きな径であり、このような取水ホースＨを容器１から引っ張り出す場合であって当該ストレーナＳが保護カバー３の下側に位置しているとき（例えば図３に示すようなとき）、ストレーナＳが保護容器１の傾斜面３ｃに当たり、この傾斜面３ｃに沿って或いは当接しつつ引っ張り上げられ、そのまま傾斜面３ｃを離れて、容器１から取り出される。傾斜面が曲面３ｄであっても同様である。従って、ストレーナＳが保護カバー３に引っ掛かることがなく、その結果、ストレーナＳ又は保護カバー３が破損したり、水の入った容器１を現場でひっくり返すことを防止できる。
【００１５】
前記保護カバー３に設けた丸みも、上記同様の作用効果を奏する。即ち、ストレーナＳを容器１中で移動させた場合などにおいて、ストレーナＳが保護カバー３に当たっても、保護カバー３の角３ａの丸みによって引っ掛かりなく、当接状態から離れることになる。このため、当該丸みによってもストレーナＳ又は保護カバー３が破損したり、水の入った容器１を現場でひっくり返すことを防止できる。
【００１６】
次に、この保護カバー３の側面３ｂには、複数の穴１２が設けられている。この穴１２は、容器１の内部と保護カバー３の内部との間を連通する。穴１２の形状は限定がないが、各穴１２は直径５ｍｍ以上２０ｍｍ以下とするのが好ましい。この穴１２の径によって、容器１に入ったゴミや落ち葉等がフロート弁２に付着して故障の原因となることを防止する。
【００１７】
また、穴１２の寸法を小さくし、複数設けることで、容器１が動いて液面が振動しても、フロート弁２のフロート２７に影響を及ぼし難くなる。即ち、前記穴１２を複数設け、当該穴１２の径が比較的小さい場合、液面の揺れが穴１２により緩和されて保護カバー３の内部に伝わる。このため、穴１２の径は、上記の如く比較的小さいものを採用したほうがより一層の効果を期待できる。また、保護カバー３の側面１ａに設けることでフロート弁２から吐出した水が保護カバー３内を還流してから容器１内に出ることになるので、容器１に対して穏やかに水を供給できる。また、小さな穴１２を複数設けるほうが、表面が疑似的に滑らかになり、前記ストレーナＳ等との間で引っ掛かりを生じさせる部分が少なくなるので、より好ましい。穴１２としては、平均的なフロート弁２を内部に収める箱状寸法を採用する場合に、５個以上１００個以下の数が全体的に均等（不正列でも良い）に配置されるようにするのが好ましい。
【００１８】
換言すれば、フロート弁２の水の吐出口に対向する部分に穴１２を設けるのではなく、対向面とは別の場所に穴１２を設ける。この実施の形態では、吐出口２９はフロート弁２の下方に開口しており、この吐出口２９に対向するのは、保護カバー３の傾斜面３ｃの内側面となる。これにより、水が勢いよく吐出しても、保護カバー３内で勢いが緩和され、穏やかに穴１２から容器１内に出るようになる。穴１２の径は、上記のものが好ましいが、複数又は単数の長穴としても良いし、一部をメッシュ状の部材として構成しても良い。なお、その場合も、穴１２やメッシュ（本明細書ではメッシュの目も穴と定義する）も表面から突出するものがない滑らかなものとするのが好ましい。穴１２を長穴とする場合（図示省略）、長さ方向が縦方向に略一致するようにするのが好ましい。これにより、容器１と保護カバー３との間の連通を常に確保でき、且つ、液面の振動も緩和できる。長穴の幅は、５ｍｍ以上２０ｍｍ以下とするのが好ましい。
【００１９】
更に、保護カバー３の天井は開放しても良いが、好ましくはゴミや落ち葉等の侵入を防止するために板状またはメッシュ状の蓋１３を設けるものとする（当該蓋１３は、上記容器１の蓋４により兼用できる）。
【００２０】
保護カバー３の材質は、容器１と同じものとするのが好ましいが、ストレーナＳとの接触回数が多いことから、強度を持たせるために、容器１より厚い樹脂や金属製を採用しても良い。金属の場合は腐食防止のためステンレスを用いるのが好ましい。
【００２１】
次に、本考案の使用方法を説明する。ユーザは、この貯水装置１００を建設現場に持ち込む。貯水装置１００を所定の場所に置き、近くの水道の蛇口にホースＨ２を接続すると共にホースＨ２の先端の継手部２ｃを貯水装置１００の容器１外側に突出している継手部２ｂに接続する。この状態で、まだ貯水装置１００の中には水は入っておらず、フロート弁２のフロート２７は一番下に位置し、弁２５は開放された状態にある。続いて、水道の蛇口を回して給水を開始すると、ホースＨ２及びフロート弁２を通じて、水が容器１内に吐出される。
【００２２】
このとき、水は、吐出口２９から保護カバー３の中に吐出され、保護カバー３の内面に当たり、その勢いが緩和される。そして、保護カバー３の穴１２から容器１内に静かに水が供給される。このため、液面の浪打等は少なく、しぶき等の発生が防止される。続いて、容器１内に水が貯まるにつれて前記フロート２７が上昇し、所定の水位となったときに前記弁２５が閉じられる。これにより、貯水が完了する。前記水道の蛇口は開けたままとする。
【００２３】
ユーザは、容器１の蓋４を開けて取水ホースＨの先端を容器１内に入れる。なお、水を容器１に入れる前に取水ホースＨを容器１内に入れておいても良い。取水ホースＨは、容器１の側面上部の切欠き５を通しておくと安定する上、蓋４をきっちり閉じることができる。取水ホースＨの先端にはストレーナＳが設けられており、ストレーナＳは、自重により容器１の底面に沈む。
【００２４】
この状態で取水ホースＨの他端に設けた、図示しないポンプにより容器１内の水を取水する。取水に伴い容器１内の水位が低下すると、前記フロート２７が下がり、弁２５が開き、再び水道からの水がフロート弁２を通じて供給される。供給された水は、上記同様に保護カバー３内で勢いが緩和されて前記穴１２から容器１内に出る。そして、再び所定の水位になると弁２５が閉じられる。このとき、容器１が動いたりして液面が揺れても、穴１２により液面の動きが緩和された状態で保護カバー３内に伝播するので、フロート２７が無用な振動を起こさない。特に、弁２５の開閉位置付近で液面が揺れるとフロート２７が揺れて弁２５の開閉が断続的に生じる可能性があるが、穴１２により水面の急な変動が緩和されているので弁２５の開閉はスムーズに行われる。
【００２５】
ユーザは、作業を完了すると、蓋４を開けて取水ホースＨを容器１内から取り出す。このとき、ストレーナＳが保護カバー３の下に当たっても、当該ストレーナＳが傾斜面３ｃに沿って移動するので、ストレーナＳが保護カバー３に引っ掛かることなく取り出される。このため、ストレーナのＳ取り出しの際に誤って容器１をひっくり返したりすることがなくなるので、現場に水をまき散らすことがなくなる。特に、容器１内に洗剤を入れた場合に、ひっくり返すことを防止できると大変有利である。ストレーナＳ以外の器具を入れた場合も同様である。更に、保護カバー３により、ストレーナＳがフロート弁２に直接当たることがないので、フロート弁２の故障などを防止できる。勿論、ストレーナＳ等の損傷も防止できる。
【００２６】
また、図５に示すように、容器１の下部の四隅に転倒防止の足２１を設けても良い。この足２１は、水平方向に回動する構造であり、拡げた状態で固定可能である。例えば、ストッパにより開く角度を固定してその角度で止まるようにする。四方に足２１を出すことで、取水ホースＨやホースＨ２に現場で足を引っ掛けても、水を貯めた容器１が倒れ難くなる。足２１の長さは、長い方が好ましく、更に床面に敷設するような平なものとするのが好ましい。
【符号の説明】
【００２７】
１００  貯水装置
１  容器
２  フロート弁
３  保護カバー
４  蓋
５  切欠き
Ｈ  取水ホース
Ｓ  ストレーナ
【図１】
0003200656.tif 000003
【図２】
0003200656.tif 000004
【図３】
0003200656.tif 000005
【図４】
0003200656.tif 000006
【図５】
0003200656.tif 000007